(57)【要約】【課題】  磁石を保持させた合成樹脂製品（例  磁石式紙押え具）で強力ではあるが耐温度性の低い磁石例えば希土類系の磁石を用いる場合、磁石を後付けで嵌め込んでいたのを能率的なインサ−ト成型法で製造出来るようにする。【解決手段】  磁石の上下両面のうち少なくとも下面を成型用金型に当接させて冷却を促進させ、更にこの磁石の周側面も複数個所で金型の突起と当接させて位置決めと冷却を兼用させることで射出成型時の磁石の温度上昇を抑制すると共に、上記金型の突起の間に流入した樹脂で磁石を保持する爪を形成させるようにした。【選択図】  図１
2005125715.tif 000002
【特許請求の範囲】
【請求項１】
希土類元素を含む磁石を用い、その磁石の上下両面のうち少なくとも下面を金型に当接させ、且つ周側面の複数個所が金型に形成した突出部に当接するようにして、其の金型の突出部の間が成型後の合成樹脂部分における磁石を保持する爪となるようにしたことを特徴とする希土類元素を含む磁石を保持した合成樹脂製品の製造方法。
【発明の詳細な説明】
【技術分野】
【０００１】
本発明は紙片を壁に留めておく磁石式押え具とか壁面に着脱自在に取付ける磁石式の吊鉤その他の磁石を保持した合成樹脂製品の製造方法に関するものである。
【背景技術】
【０００２】
磁石を埋設して壁面とか家具の側面に吸着させてメモ用紙を留めておくとか物を吊っておく為の磁石式の止め具、クリップ、紙押え等は画鋲より使い易く安全であるので多種の品物が市販されている。これらの品物では従来磁石としてフェライト系の磁石が用いられていたが、近時極めて強力な希土類系の磁石が用いられるようになって来た。この磁石は強力であるから従来のフェライト系磁石より小さくて充分であり、磁石を用いた品物の種類を豊富にした。
【０００３】
所が上述した希土類系の磁石は高温に弱く、通常は常用温度は５０℃迄とされている。そのためこの種の磁石を合成樹脂に埋設した形式の製品では磁石をインサ−トする成型方法が採れず、合成樹脂部分に後から磁石を嵌め込む方法が採用されている。しかしこのような製法であると磁石や嵌合穴の寸法のばらつきのため、嵌合の度合いが一定せず、磁石の脱落を防ぐため接着剤を使用する必要があって製品の組み立て作業が繁雑になっていた。
【発明の開示】
【発明が解決しようとする課題】
【０００４】
希土類系磁石を保持させた合成樹脂製の品物の製造で磁石を後付け嵌合する繁雑さを解消するため、インサ−ト成型法の採用を可能にすることである。
【課題を解決するための手段】
【０００５】
希土類元素を含む磁石２を用い、その磁石２の上下両面のうち少なくとも下面を金型に当接させ、且つ周側面の複数個所が金型に形成した突出部に当接するようにして、其の金型の突出部の間が成型後の合成樹脂部分における磁石２を保持する爪となるようにした。
【発明の効果】
【０００６】
本発明によれば、インサ−トされる磁石は合成樹脂部分成型の際に表面の成るべく広い面積が金型に当接するようにしてあるので、残りの表面が溶融樹脂と触れても余り温度は上がらず、樹脂部分から見れば自身の熱を金型に伝え易いから、樹脂注入後の冷却が早くなり成型時間が短くなるので、磁石の温度を殆ど上げることなく成型を終わることができる。
【０００７】
従って本発明によれば、希土類元素を含む磁石を用いながら，磁石の磁力を低下させることなくインサ−ト成型を行うことが出来るのである。
【発明を実施するための最良の形態】
【０００８】
磁石によって相手方に着脱自在に吸着させて用いる事務用あるいは家庭用の合成樹脂成型品の成型に適用した。
【実施例】
【０００９】
ここに示す実施例は本発明方法を磁石式押え具の製造に適用したものである。まず、本発明方法により製せらる磁石式押え具自体について図１および図２によって説明する。この物は画鋲の代わりに紙等を家具側面に留めておくのに使う物で、外形は脚の短い茸形をなし、傘状の本体部（傘と言うことにする）１の下面中央の短い脚部３に磁石２が下面 を脚部３の下端面に下面を露出させてインサ−トされている。傘１の上面中央は凹ませてある。上記磁石が相手面Ｅに吸着せられる。
【００１０】
図１のＡは上述磁石式押え具を相手面に吸着させた状態で、同Ｂは相手面から押え具を外すときの状態を示す。即ちこのとき押え具の傘１の上面の凹みの中央から外れた位置を指Ｆで押さえると押え具全体が脚部３の下端縁の一点を支点に傾くから、傘１の跳上がった側の縁の下に別の指を当てて引き起こせば梃子の作用で磁石２の吸着力が強くても、容易に押え具を相手面から離すことが出来る。希土類系の磁石２は極めて強力であるが、このような形にしてあると相手面から引き離すときに大変楽である。
【００１１】
図２は上例の磁石式押え具の下面を示す。磁石２は５ｍｍ角で厚さ２ｍｍである。磁石２は四隅を上記脚部３となっている合成樹脂壁で囲まれており、四辺は上記合成樹脂壁が途切れて磁石２側面の一部２’が露出している。磁石２の四隅を囲む脚部３の樹脂壁からは二方向に夫々一対の突壁３１が延び出して間に溝４が形成されている。この溝にドライバ−の先を入れてこじると溝幅が広がり、磁石２を脚部３から外すことが出来る。これはこの磁石式押え具を廃棄するとき、磁石２と合成樹脂部分とを分別するための用意であるから、この二条の突壁３１はなくてもよい。
【００１２】
次に上述した磁石式押え具を成型する金型について図３を用いて説明する。この図は要部のみを示す拡大図で図３Ａは上型５を除いた下型の上面図、図３Ｂは上下の型５，６を合わせた状態の縦断面図で図３Ａの鎖線Ｉ−Ｉに沿う断面を示す。またこれらの図は磁石２をセットした状態を示す。
【００１３】
図３Ａで斜線を入れた部分３’は下型６の表面より凹んでおり、磁石２がセットされている部分は３’の部分の底面より更に凹んでいる（図３Ｂ参照）。この凹んでいる部分３’は樹脂成型時溶融樹脂が流入して前述した脚部３を形成する金型空所である。磁石２の側面には下型６の突出部３３，３４の部分が当接していて溶融樹脂注入の際の圧力による磁石２の移動が阻止されると共に、磁石下面同様溶融樹脂からの熱を金型へ逃がすようになっている。
【００１４】
磁石２の側面には僅かな傾斜が付けてあるので、脚部３は磁石２を合成樹脂の本体部１に固定する爪となるのである。
【００１５】
図４Ａは本発明の他の実施例の磁石式押え具の下面斜視図で図４Ｂはその成型金型の下型の上面斜視図である。この図でも前例の各部と対応する部分には同じ符号を付けてある。この例の下型の上面は図では分かり難いが全体的に凹面になっている。この例では磁石２は三個所の爪３５（合成樹脂本体と一体的）で保持される。図４Ｂで６１が磁石２の収まる凹みでこの凹みの周囲から３方向に溝６２が延びている。また、二つの溝６２、６２の間の部分が突出部３３である。この溝６２に溶融樹脂が流入して磁石２を保持する爪３５が形成される。この例では磁石２は円板状であるがこれは四角でもよいことは言う迄もない。
【００１６】
図４Ｃは上述した何れの例でも適用可能なもので、上型５の下面中央に突部５１があって磁石２の上面に当接するようにした例である。この突部５１によって成型時の磁石２の温度上昇は一層低く抑えられる。この突部５１によって成型された押え具の本体部には中央に孔が開いて磁石２の上面が一部露出するがこの孔は飾り栓を嵌めることができる。
【００１７】
次に上述実施例で用いた磁石２について述べる。この磁石２は希土類元素を含有する磁石２で本例においては特にネオジウムを含むネオジウム磁石を用いた。この磁石２の温度による磁力減少の特性は以下の通りであった。
【００１８】
試料は５ｍｍ角、厚さ２ｍｍで、磁力は鉄片を吸着させ、引き離すときの所用力（引っ張り力）で測った。そしてこの試料の初期の磁力は４７０ｇであった。或る温度に保っているときの磁力減少は時間と共に進み、温度が高いと減少は急速で且つ略々直線的であるが、低い温度では減少は時間的に飽和傾向を示す。測定結果は下記の表１の通り。
【００１９】
【表１】
2005125715.tif 000003
【００２０】
また、測定結果を図５に示す。
【００２１】
図１，２で説明した実施例の成型条件等について述べる。この例の磁石式押え具は傘１の直径３０ｍｍ，磁石２は５ｍｍ角で厚さ２ｍｍであり、成型前の磁力は２１７ｇであった。インサ−ト成型時間は最大で２０秒、合成樹脂射出時の樹脂温度は約２００℃、射出後温度は急速に下がり、成型終了時の温度は約５０℃で金型温度は殆ど変わらず約３０℃であった。このような成型条件の下で成型後の磁石２の磁力は１８９ｇであり、２８ｇ，１３％の減少であった。
【産業上の利用可能性】
【００２２】
上述した実施例は文房具に関するものであるが、本発明はこの例に限らず、磁石を嵌め込んだ型の合成樹脂製品全般に適用出来るものである。本発明は希土類系磁石であっても、磁石表面をなるべく多く金型に接触させるようにすると、磁力減少を心配しないでインサ−ト成型法を適用し得ることを見出したもので、従来この種の磁石を埋め込み成型する場合インサ−ト成型法は適用出来ないと考え、後付け加工で磁石を取り付けていたのに対して甚だ能率的であり、この種製品全般の製造に適用出来るのである。
【図面の簡単な説明】
【００２３】
【図１】磁石式押え具の使用状態の断面図。
【図２】上記押え具の下面図。
【図３】上記押え具の成型用金型の説明図。
【図４】他の実施例の磁石式押え具およびその成型用金型の説明図。
【図５】ネオジウム磁石の熱特性を示すグラフ。
【符号の説明】
【００２４】
１  傘（本体部）
２  磁石
３  脚部
４  溝
５  上型
６  下型
【図１】
2005125715.tif 000004
【図２】
2005125715.tif 000005
【図３】
2005125715.tif 000006
【図４】
2005125715.tif 000007
【図５】
2005125715.tif 000008